(57)【要約】【課題】      開口部の角部をぶつけても開口部が歪むことのない釣り用バケツを提供すること。【解決手段】  バケツ本体１の上部開口１ａが矩形で、側面部１ｂの開口縁にフレ−ム体２とフレ−ム体２に取り付けられた補強部材３がシ−ト材で包み込まれ、側面部１ｂは開口１ａにおいて内側から外側へ折り返されて折り返し部１ｄが側面部１ｂの外側に縫着や溶着等で固定され、フレ−ム体２は金属または合成樹脂のパイプまたは中実の棒で、補強部材３は金属または合成樹脂でパイプ体に形成され、補強部材３はＬ字形に形成されて外周にリブ３ａ、３ｂが長手方向に伸びるように形成されると共に下側に下方に向けて突片３ｃが突出形成され、補強部材３が四隅になるように４個の補強部材３のパイプ体に４本のフレ−ム体２が挿通されて矩形に組み込まれている。【選択図】        図２
2005237314.tif 000002
【特許請求の範囲】
【請求項１】
角部を有するフレ−ム体を開口部に設けた釣り用バケツにおいて、前記フレ−ム体の角部に補強部材が設けられていることを特徴とする釣り用バケツ。
【請求項２】
補強部材は、パイプ体であり、フレ−ム体が前記パイプ体に挿通されていることを特徴とする請求項１記載の釣り用バケツ。
【請求項３】
フレ−ム体は、補強部材によって接続されていることを特徴とする請求項１または２記載の釣り用バケツ。
【請求項４】
補強部材は、フレ−ム体の長手方向に伸びるリブを有していることを特徴とする請求項１乃至３記載の釣り用バケツ。
【請求項５】
補強部材は、下方へ突出する突片を有していることを特徴とする請求項１乃至４記載の釣り用バケツ。
【請求項６】
突片は、フレ−ム体の角部に沿って湾曲状に形成されていることを特徴とする請求項５記載の釣り用バケツ。
【発明の詳細な説明】
【技術分野】
【０００１】
本発明は、角部を有するフレ−ム体の開口部の四隅を補強した釣り用バケツの改良に関する。
【背景技術】
【０００２】
従来から釣り用バケツは開口部に沿ってフレ−ム体が設けられ、また、合成樹脂シ−トでバケツ本体を形成し、このバケツ本体の合成樹脂シ−トを開口でフレ−ム体に挿通して折り返して再びバケツ本体の合成樹脂シ−トに止着することでフレ−ム体を開口部に保持していた。
これら釣り用バケツの開口部は丸形や四角に形成されるが、釣り用バケツは運搬中に開口部の角部をぶつけることが多く、これによって開口が歪んだり、また、フレ−ムが歪んだりする。
特許文献１では四角形の開口に沿ってフレ−ムを有する釣り用携帯容器が紹介されている。
【特許文献１】実開平６−１９４６９公報
【発明の開示】
【発明が解決しようとする課題】
【０００３】
解決しようとする問題点は、釣り用バケツは運搬中に開口部の角部をぶつけることが多く、これによって開口が歪んだり、また、フレ−ムが歪むことである。
【０００４】
本発明の目的は前記欠点に鑑み、開口部の角部をぶつけても開口部が歪むことのない釣り用バケツを提供することである。
【課題を解決するための手段】
【０００５】
本発明の請求項１は、角部を有するフレ−ム体を開口部に設けた釣り用バケツにおいて、前記フレ−ム体の角部に補強部材が設けられていることを要旨とするものである。
本発明の請求項２は、補強部材は、パイプ体であり、フレ−ム体が前記パイプ体に挿通されていることを要旨とするものである。
本発明の請求項３は、フレ−ム体は、補強部材によって接続されていることを要旨とするものである。
本発明の請求項４は、補強部材は、フレ−ム体の長手方向に伸びるリブを有していることを要旨とするものである。
本発明の請求項５は、補強部材は、下方へ突出する突片を有していることを要旨とするものである。
本発明の請求項６は、突片は、フレ−ム体の角部に沿って湾曲状に形成されていることを要旨とするものである。
【発明の効果】
【０００６】
本発明により、運搬中に開口部の角部をぶつけても、開口が歪んだり、また、フレ−ムが破損することが防止される。
本発明の請求項５、６のように補強部材に突片が突出形成されていると、バケツ本体の角部の折れ曲がりが防止され、釣り用バケツが使用されるときの姿勢が維持される。
【発明を実施するための最良の形態】
【０００７】
バケツ本体１の上部開口１ａが矩形で、側面部１ｂの開口縁にフレ−ム体２とフレ−ム体２に取り付けられた補強部材３がシ−ト材で包み込まれ、側面部１ｂは開口１ａにおいて内側から外側へ折り返されて折り返し部１ｄが側面部１ｂに縫着や溶着等で固定されている。
フレ−ム体２は金属または合成樹脂のパイプまたは中実の棒で、補強部材３は金属または合成樹脂でパイプ体に形成されている。
補強部材３はＬ字形に形成されて外周にリブ３ａ、３ｂが長手方向に伸びるように形成されると共に下側に下方に向けて突片３ｃが突出形成されている。
突片３ｃは角部に沿って湾曲状に形成されている。
補強部材３がシ−ト材で包み込まれた時突片３ｃは折り返し部１ｄの下側に一部露出されている。
補強部材３が四隅になるように４個の補強部材３のパイプ体に４本のフレ−ム体２が挿通されて矩形に組み込まれている。
【実施例１】
【０００８】
以下、図示の実施例によって本発明を説明すると、図１から図３は第１実施例で、図１は釣り用バケツの斜視図、図２は釣り用バケツの断面側面図と一部拡大断面側面図、図３はフレ−ム体の角部に補強部材が設けられた斜視図と一部拡大斜視図である。
【０００９】
釣り用バケツは、バケツ本体１の上部開口１ａが矩形で、側面部１ｂと底部１ｃが、例えばエチレン酢酸ビニ−ルや塩化ビニ−ル等の合成樹脂製シ−トを用いて一体、もしくは、複数のシ−トを溶着等で接合して形成されて防水性と柔軟性を有しており、上記シ−トで形成した側部１ｂと底部１ｃは折り曲げることができバケツ本体１は折り畳みが可能になっている。
側面部１ｂの開口縁にフレ−ム体２とフレ−ム体２に取り付けられた補強部材３がシ−ト材で包み込まれ、側面部１ｂは開口１ａにおいて内側から外側へ折り返されて折り返し部１ｄが側面部１ｂの外側に縫着や溶着等で固定されている。
側面部１ｂの対向する前面と後面に夫々板体４が固定されて板体４のハンドル止着部４ａ、４ａにハンドル５、５が回動して起立及び倒伏可能に取り付けられている。
【００１０】
フレ−ム体２は金属または合成樹脂のパイプまたは中実の棒で、補強部材３は金属または合成樹脂でパイプ体に形成されている。
補強部材３はＬ字形に形成されて外周にリブ３ａ、３ｂが長手方向に伸びるように形成されると共に下側に下方に向けて突片３ｃが突出形成されている。
突片３ｃは角部に沿って湾曲状に形成され、角部を介して側面部１ｂの隣り合う面に亘って添設され、フレ−ム体２の角部を補強すると共にバケツ本体１の側面部１ｂを補強しそのつぶれを防止している。
補強部材３がシ−ト材で包み込まれた時突片３ｃは折り返し部１ｄの下側に一部露出されている。
補強部材３がフレ−ム体２の四隅になるように取り付けられ、４個の補強部材３のパイプ体の孔（嵌合部）に４本のフレ−ム体２が挿通されて矩形に組み込まれている。
【００１１】
フレ−ム体２と補強部材３が金属同士、または合成樹脂同士の場合互いに溶着して接続してもよい。
第１実施例では、補強部材３が合成樹脂で形成され、突片３ｃも合成樹脂で形成されているため、突片３ｃは、バケツ本体１を形成する合成樹脂製シ−トに側面部１ｂの隣り合う面に亘って添設されて溶着されているため側面部１ｂのつぶれがより防止される。
フレ−ム体２の長さを変えることで開口部の寸法の異なるバケツ本体とすることができる。
突片３ｃはバケツ本体１のシ−ト材の外側になるが、突片３ｃをシ−ト材の内側になるように形成してもよい。
【００１２】
バケツ本体１の上部開口１ａの内側に矩形に組み込まれて接続されたフレ−ム体２とＬ字形で外周にリブ３ａ、３ｂが形成された補強部材３がシ−ト材で包み込まれていると、角部に力を受けても開口１ａの歪みが防止される。
補強部材３に突片３ｃが突出形成されていると、バケツ本体１の側面部１ｂの角部の折れ曲がりが防止され、釣り用バケツが使用されるときの姿勢が維持される。
突片３ｃはフレ−ム体２の角部に対応する湾曲状部分が最も突出するためバケツ本体１の角部のつぶれがより防止される。
【００１３】
前記のように釣り用バケツが構成されると、運搬中に開口部の角部をぶつけても、開口が歪んだり、また、フレ−ムが破損することが防止される。
【実施例２】
【００１４】
図４は第２実施例で、図４は釣り用バケツの断面側面図と一部拡大断面側面図である。
【００１５】
第２実施例では、矩形に一体に形成されたフレ−ム体２′の四隅に４個の補強部材３′が上方から嵌合されて取り付けられている。
補強部材３′はパイプ体でＬ字形に形成されて外周にリブ３ａ、３ｂが長手方向に伸びるように形成されると共に下側に下方に向けて突片３ｃが突出形成され、更に下側に切込み３ｄが形成されている。
フレ−ム体２′はこの切込み３ｄから差し込み、パイプ体の孔（嵌合部）に嵌合され保持され、また、これによって補強部材３′は容易にフレ−ム体２′に取り付けることができる。
突片３ｃは角部に沿って湾曲状に形成されている。
他の構成は前記第１実施例と略同一である。
【実施例３】
【００１６】
図５、図６は第３実施例で、図５はフレ−ム体の角部に補強部材が一体に設けられた斜視図と一部拡大斜視図、図６は釣り用バケツの断面側面図と一部拡大断面側面図である。
【００１７】
第３実施例では、フレ−ム体と補強部材が金型成形または溶着され一体に形成されて枠体６が構成されている。
棒状の４本のフレ−ム体６ａの四隅に４個の補強部材６ｂが形成されて矩形に構成されている。
補強部材６ｂはＬ字形に形成されて外周にリブ６ｃ、６ｄが長手方向に伸びるように形成されると共に下方へ突片６ｅが突出形成されている。
突片６ｅは角部に沿って湾曲状に形成されている。
バケツ本体１は側面部１ｂの開口縁にフレ−ム体６ａフレ−ム体６ａに取り付けられた補強部材６ｂがシ−ト材で包み込まれ、側面部１ｂは開口１ａにおいて外側から内側へ折り返されて折り返し部１ｄが側面部１ｂの内側に縫着や溶着等で固定されている。
他の構成は前記第１実施例と略同一である。
【実施例４】
【００１８】
図７、図８は第４実施例で、図７は釣り用バケツの斜視図、図８はフレ−ム体の角部に補強部材が設けられた斜視図である。
【００１９】
第４実施例では、補強部材３″はパイプ体がＬ字形に形成されて外周にリブ３ａ、３ｂが長手方向に伸びるように形成されると共に下方へ長く突片３ｅが突出形成され釣り用バケツの側面部１ｂの底部１ｃ側端部まで延設されている。
このように形成されるとバケツ本体１の角部のつぶれが確実に防止され、使用中の釣り用バケツの形状が保持される。
突片３ｅは角部に沿って湾曲状に形成されている。
補強部材３″が四隅になるように４個の補強部材３″のパイプ体に４本のフレ−ム体２が挿通されて矩形に組み込まれている。
他の構成は前記第１実施例と略同一である。
【産業上の利用可能性】
【００２０】
本発明は釣り用バケツ全般に利用できる。
【図面の簡単な説明】
【００２１】
【図１】第１実施例で、釣り用バケツの斜視図である。
【図２】同釣り用バケツの断面側面図と一部拡大断面側面図である。
【図３】同フレ−ム体の角部に補強部材が設けられた斜視図と一部拡大斜視図である。
【図４】第２実施例で、釣り用バケツの断面側面図と一部拡大断面側面図である。
【図５】第３実施例で、フレ−ム体の角部に補強部材が設けられた斜視図と一部拡大斜視図である。
【図６】同釣り用バケツの断面側面図と一部拡大断面側面図である。
【図７】第４実施例で、釣り用バケツの斜視図である。
【図８】同フレ−ム体の角部に補強部材が設けられた斜視図である。
【符号の説明】
【００２２】
２、２′、６ａ  フレ−ム体
３、３′、３″、６ｂ  補強部材
３ａ、３ｂ、６ｃ、６ｄ  リブ
３ｃ、３ｅ、６ｅ  突片
【図１】
2005237314.tif 000003
【図２】
2005237314.tif 000004
【図３】
2005237314.tif 000005
【図４】
2005237314.tif 000006
【図５】
2005237314.tif 000007
【図６】
2005237314.tif 000008
【図７】
2005237314.tif 000009
【図８】
2005237314.tif 000010